(57)【要約】      （修正有）【課題】片手で複数本保持した場合でも、手を振りかざした際に手からに抜け落ちず、しっかりと保持可能な、安全な棒状ライトを提供する。【解決手段】棒状ライト１００は、筒状の胴体部１０１と、胴体部１０１の内部に設けられ、発光する発光部２０１と、胴体部１０１と連結し、指に挟んで保持するための突起物３２１を有する略円柱状の保持部３０１と、保持部３０１の内部に設けられ、発光部２０１に動力を供給する電源部とを備えることで片手で複数本保持することを可能にする。【選択図】図１
2014032959.tif 000002
【特許請求の範囲】
【請求項１】
筒状の胴体部と、
前記胴体部の内部に設けられ、発光する発光部と、
前記胴体部と連結し、指に挟んで保持するための突起物を有する略円柱状の保持部と
前記保持部の内部に設けられ、発光部に動力を供給する電源部とを有する棒状ライト。
【請求項２】
前記保持部は、下端にくびれを有し、該くびれの先に前記突起物を有することを特徴とする請求項１記載の棒状ライト。
【請求項３】
前記胴体部は、
前端に、前記発光部が発する光を遮蔽するヘッド部を有することを特徴とする請求項１または２記載の棒状ライト。
【請求項４】
前記ヘッド部は、
光を一部透過させる、図形形状からなる切り込み部を有することを特徴とする請求項３記載の棒状ライト。
【請求項５】
前記保持部は、更に、
前記発光部の発光条件を制御する制御部を備えることを特徴とする請求項１から４いずれか１項記載の棒状ライト。
【請求項６】
前記保持部は、更に、
前記制御部に対して、前記発光条件の切り替え指示を与えるスイッチ部を備えることを特徴とする請求項５記載の棒状ライト。
【請求項７】
前記保持部は、
前記胴体部と連結する上側保持部と、
該上側保持部と連結する下側保持部とを有し、
前記突起物は、前記下側保持部に設けられ、
前記下側保持部は、前記上側保持部に着脱可能に連結されることを特徴とする請求項１〜６のいずれか一項記載の棒状ライト。
【発明の詳細な説明】
【技術分野】
【０００１】
本発明は、棒状ライトに関するものである。
【背景技術】
【０００２】
イベント・祝祭行事などにおいて、ペンライトや、照明など光を用いて演出効果を高めるものや、光によって興味を引き立てるライトが多く流通している。とりわけ、棒状ライトは、コンサート等の夜間に行われるイベントにおいては、点灯した状態で振りかざし、会場を盛り上げるために多く用いられている。
【０００３】
そのため、棒状ライトは、手で振りかざせる程度の小型軽量であり、かつ、十分な照度及びそれを維持できるだけの電力を備える必要がある。
【０００４】
近年の棒状ライトに関する技術が特許文献１及び特許文献２に開示されている。
【０００５】
特許文献１には、光の三原色を構成する各色を発光する発光ダイオードが備えられ、その各発光ダイオードが個別に制御されることにより、光源部を任意の色に発光させることが可能な棒状ライトに関する技術が開示されている。
【０００６】
特許文献２には、発光具のスイッチの一極として、発光素子を指示した電気基板を利用することで軽量化及び小型化が可能な棒状ライトに関する技術が開示されている。
【先行技術文献】
【特許文献】
【０００７】
【特許文献１】特開２０００−９０７０２号公報
【特許文献２】特開平９−２８２９０２号公報
【発明の概要】
【発明が解決しようとする課題】
【０００８】
しかしながら、コンサート等においては、観客はより照度を上げるため、片手に複数の棒状ライトを保持する場合がしばしばある。このような場合、特許文献１及び特許文献２に開示されているような棒状ライトでは、不都合がある。上述した棒状ライトは、片手に１本ずつ持つように設計されており、手のひらと５本の指で把持する必要があるためである。
【０００９】
そのため、このような棒状ライトを片手で複数本持った場合、しっかりと把持することができず、手を振りかざした際に勢いあまって、手から抜けて飛んで行ってしまう危険性があった。
【００１０】
そこで、本発明は、上記事情に鑑み、片手で複数本、保持可能な棒状ライトを提供することを目的とするものである。
【課題を解決するための手段】
【００１１】
本発明に係る棒状ライトは、筒状の胴体部と、胴体部の内部に設けられ、発光する発光部と、胴体部と連結し、指に挟んで保持するための突起物を有する略円柱状の保持部と、保持部の内部に設けられ、発光部に動力を供給する電源部とを備えるものである。
【００１２】
「胴体部」は、発光部の発光の様子が外から確認できるように透過性を有したものをいう。例えば、半透明のプラスチックやガラス等で構成されてもよい。
【００１３】
「発光部」は、電源部からの動力供給を受け発光するものをいう。具体的には発光ダイオード等が挙げられる。発光体は各発光体が、単一の発光色に発光するものとしてもよいし、各発光体が複数の発光色に発光するものとしてもよい。また、胴体部は、前端に発光部が発する光を遮蔽するヘッド部を有する構成としてもよい。
【００１４】
「ヘッド部」は、発光部が発する光を遮蔽するものであり、例えばアルミ等の金属片を用いてもよい。また、ヘッド部は、光を一部透過させる、図形形状からなる切り込み部を有する構成としてもよい。
【００１５】
「切り込み部」は、線状の図形形状であり、ヘッド部へ照射された光が透過可能な箇所をいう。切り込み部は、星や王冠のような図形や、文字としてもよい。ただし、切り込み部は照度を十分に抑えられる程度の幅であることが望ましい。
【００１６】
「保持部」は、利用者が棒状ライトをつかむための部位をいう。保持部は、ストラップ等を装着できるような留め具を有してもよい。また、保持部は下端にくびれを有し、該くびれの先に突起物有する構成としてもよい。
【００１７】
「くびれ」は保持部の他の箇所よりも、直径が小さくなっている箇所をいう。また、「突起物」は、指に挟み把持する部位をいう。突起物は略球状としてもよい。利用者は、くびれを指と指の間に挟み、該突起物を指で把持する。
【００１８】
「電源部」は、発光部に動力を供給するものをいう。具体的には、乾電池やボタン電池等が挙げられる。電源部は、前述の乾電池のように内部に電力を蓄えたものの方が望ましいが、例えばバッテリーのように、外部電源と接続し、電源の供給を受けるものとしてもよい。
【００１９】
保持部は、更に、発光部の発光条件を制御する制御部を備える構成としてもよい。
【００２０】
「制御部」は、制御回路を有したものをいい、具体的にはＣＰＵやＩＣチップ等の基板回路が挙げられる。制御部では発光部の発光条件として、例えば発光部の照度、点滅速度、点滅色等を制御する。
【００２１】
保持部は、更に、制御部に対して、発光条件の切り替え指示を与えるスイッチ部を有する構成としてもよい。
【発明の効果】
【００２２】
本発明に係る、棒状ライトは、筒状の胴体部と、胴体部の内部に設けられ、発光する発光部と、胴体部と連結し、指に挟んで保持するための突起物を有する略円柱状の保持部と、保持部の内部に設けられ、発光部に動力を供給する電源部とを備える際には、利用者は片手で複数本の棒状ライトを保持可能になる。
【００２３】
また、保持部は下端にくびれを有し、該くびれの先に突起物有する際においては、片手に複数の棒状ライトをより安定して保持可能になる。
【００２４】
また、胴体部は、前端に発光部が発する光を遮蔽するヘッド部と有する際においては、前方への光線の照度を抑えることが可能になる。
【００２５】
また、ヘッド部は、光を一部透過させる、図形形状からなる切り込み部を備える際においては、発光の照度を抑えつつ、ヘッド部上に文字や図形を浮かび上がらせることが可能になる。
【００２６】
また、保持部は、更に、発光部の発光条件を制御する制御部を備える際においては、より多くの発光パターンを実現可能になる。
【００２７】
また、保持部は、更に、制御部に対して発光条件の切り替え指示を与えるスイッチ部を備える際においては、利用者が自由に発光パターンを選択することが可能になる。
【００２８】
また、保持部は、胴体部と連結する上側保持部と、この上側保持部と連結する下側保持部とを有し、上記突起物は、下側保持部に設けられ、この下側保持部は、上記上側保持部に着脱可能に連結される際においては、必要に応じて利用者が下側保持部を取り外し、別の下側保持部や別の部材に取り換えることが可能になる。
【図面の簡単な説明】
【００２９】
【図１】本発明の第１の実施形態に係る棒状ライトの正面図
【図２】本発明の第１の実施形態に係る棒状ライトの側面図
【図３】本発明の第１の実施形態に係る棒状ライトの上面図
【図４】本発明の第１の実施形態に係る棒状ライトの背面図
【図５】本発明の第２の実施形態に係る棒状ライトを示す図
【図６】本発明の第３の実施形態に係る棒状ライトを示す図
【図７】本発明の第４の実施形態に係る棒状ライトを示す図
【図８】本発明の第５の実施形態に係る棒状ライトを示す図
【発明を実施するための形態】
【００３０】
［第１の実施形態］
以下、本発明の第１の実施の形態を図１乃至図４を用いて説明する。
【００３１】
本発明に係る棒状ライト１００は、筒状の胴体部１０１と、胴体部１０１の内部に設けられ、発光する発光部２０１と、胴体部１０１と連結し、指に挟んで保持する突起物３２１を有する略円柱状の保持部３０１と、保持部３０１の内部に設けられ、発光部２０１に動力を供給する電源部４０１とを備える。
【００３２】
図１は本発明の第１の実施形態における棒状ライト１００の正面を示す図である。また、図２は本発明の第１の実施形態における棒状ライト１００の側面を示す図、図３は本発明の第１の実施形態における棒状ライト１００の上面を示す図、図４は、本発明の第１の実施形態における棒状ライト１００の背面を示す図である。
【００３３】
胴体部１０１は、発光部２０１の発光の様子が外から確認できるように透過性を有したものをいう。例えば、半透明のプラスチックやガラス等で構成されてもよい。第１の実施形態においてはプラスチックで構成されている。
【００３４】
発光部２０１は、電源部４０１からの動力供給を受け発光するものをいう。具体的には発光ダイオード等が挙げられる。発光体は各発光体が、単一の発光色に発光するものとしてもよいし、各発光体が複数の発光色に発光するものとしてもよい。第１の実施形態においては、白色光を発する発光ダイオードを用いている。
【００３５】
保持部３０１は、利用者が棒状ライト１００をつかむための部位をいう。
【００３６】
突起物３２１は、指に挟み把持する部位をいう。突起物３２１は略球状としてもよい。また、保持部３０１は下端にくびれ３１１を有し、該くびれ３１１の先に突起物３２１を有する構成としてもよい。利用者は、くびれ３１１を指と指の間に挟み、該突起物３２１を指で把持する。
【００３７】
第１の実施形態においては、図１に示すように、保持部３０１は下端に数センチ程度のくびれ３１１を有し、該くびれ３１１の先に突起物３２１を有する。
【００３８】
電源部４０１は、発光部２０１に動力を供給するものをいう。具体的には、乾電池やボタン電池等が挙げられる。電源部４０１は、前述の乾電池のように内部に電力を蓄えたものの方が望ましいが、例えばバッテリーのように、外部電源と接続し、電源の供給を受けるものとしてもよい。
【００３９】
第１の実施形態において、棒状ライト１００は図４に示すように、保持部３０１の背面に電源蓋を有している。電源部４０１は、該電源蓋を開けることで、取り外し可能な構成となっている。
【００４０】
保持部３０１は、更に、発光部２０１の発光条件を制御する制御部６０１を備える構成としてもよい。制御部６０１は、制御回路を有したものをいい、具体的にはＣＰＵやＩＣチップ等の基板回路が挙げられる。制御部６０１では発光部２０１の発光条件として、例えば発光部２０１の照度、点滅速度、点滅色等を制御する。
【００４１】
保持部３０１は、更に、制御部６０１に対して、発光条件の切り替え指示を与えるスイッチ部５０１を有する構成としてもよい。
【００４２】
第１の実施形態においては、保持部３０１はその内部に基板回路である制御部６０１を有している。該制御部６０１は、発光部の点滅速度を制御している。スイッチ部５０１は、第１の実施形態において、図１及び図２に示すように、保持部３０１の正面に配置されている。そして、スイッチ部５０１は、押下された回数によって、点滅速度を変化させるよう制御部６０１に指示を与えることが、本実施形態では可能である。
【００４３】
[第２の実施形態]
本発明に係る棒状ライト１００の第２の実施形態を、図５を用いて説明する。図５は、第２の実施形態に係る棒状ライト１００を模式的に表した図である。図５の（Ａ）は第２の実施形態における棒状ライト１００の正面図、（Ｂ）は上面図、（Ｃ）は断面図を示している。
【００４４】
第２の実施形態において、棒状ライト１００は、筒状の胴体部１０１と、胴体部１０１の内部に設けられ、発光する発光部２０１と、胴体部１０１と連結し、指に挟んで保持する突起物３２１を有する略円柱状の保持部３０１と、保持部３０１の内部に設けられ、発光部２０１に動力を供給する電源部４０１とを備える。また、胴体部１０１は、前端に発光部２０１が発する光を遮蔽するヘッド部１３１を有する構成としてもよい。
【００４５】
ヘッド部１３１は、発光部が発する光を遮蔽するものであり、例えばアルミ等の金属片を用いてもよい。また、ヘッド部１３１は、光を一部透過させる、図形形状からなる切り込み部１３２を有する構成としてもよい。
【００４６】
切り込み部１３２は、線状の図形形状であり、ヘッド部１３１へ照射された光が透過可能な箇所をいう。切り込み部１３２は、星や王冠のような図形や、文字としてもよい。ただし、切り込み部１３２は照度を十分に抑えられる程度の幅であることが望ましい。
【００４７】
第２の実施形態においては、ヘッド部１３１は、図５の（Ｂ）に示すように、星型の切り込み部１３２を有している。
【００４８】
第２の実施形態において、胴体部１０１はプラスチックで構成され、図５の（Ａ）に示すように、下端で保持部３０１と連結している。
【００４９】
保持部３０１は下端に数センチ程度のくびれ３１１を有し、該くびれ３１１の先に突起物３２１を有する構成になっている。
【００５０】
図５の（Ｃ）に示すように、保持部３０１は第２の実施形態において、内部に発光部２０１、電源部４０１及び制御部６０１を備えている。制御部６０１は本実施形態においては、発光部２０１の照度を制御する。
【００５１】
更に本実施形態では、胴体部１０１は、内側に、装飾シート１０２を備えている。装飾シート１０２は、特定の波長の光が透過可能なシートのことをいう。発光部２０１から発光された特定の波長の光を、該装飾シート１０２に透過させることで、光が色を有しているように見せる効果がある。また、装飾シート１０２は、表面に複数の凹凸を備え、光を乱反射させるものであってもよい。具体的には、セロファン、塩化ビニール、フィルム等が挙げられる。第２の実施形態において、装飾シート１０２は胴体部１０１の内周の円に沿うように配置されている。
【００５２】
その他の形態及び機能については、第１の実施形態と同様である。
【００５３】
[第３の実施形態]
本発明に係る棒状ライト１００の第３の実施形態の模式図を図６に示す。
【００５４】
第３の実施形態において、棒状ライト１００は、筒状の胴体部１０１と、胴体部１０１の内部に設けられ、発光する発光部２０１と、胴体部１０１と連結し、指に挟んで保持する突起物３２１を有する略円柱状の保持部３０１と、保持部３０１の内部に設けられ、発光部２０１に動力を供給する電源部４０１（図６では図示を省略）とを備える。
【００５５】
保持部３０１は下端の側面に数センチ程度のくびれ３１１を有している。該くびれ３１１は、保持部３０１と垂直に連結するように配置されている。また、くびれ３１１は、保持部３０１との結合部と反対側の先端に、突起物３２１を有する構成になっている。
【００５６】
その他の形態及び機能については、第１の実施形態と同様である。ただし、第３の実施形態においては、棒状ライト１００は制御部６０１を有さない。保持部３０１に配置されたスイッチ部５０１は、本実施形態では、発光部２０１のオンオフの切り替えを行う。
【００５７】
[第４の実施形態]
本発明に係る棒状ライト１００の第４の実施形態の模式図を図７に示す。
【００５８】
第４の実施形態において、棒状ライト１００は、筒状の胴体部１０１と、胴体部１０１の内部に設けられ、発光する発光部２０１と、胴体部１０１と連結し、指に挟んで保持する突起物３２１を有する略円柱状の保持部３０１と、保持部３０１の内部に設けられ、発光部２０１に動力を供給する電源部４０１（図７では図示を省略）とを備える。
【００５９】
保持部３０１は下端に数センチ程度のくびれ３１１を有し、該くびれ３１１の先に突起物３２１、突起物３２２を有する構成になっている。
【００６０】
突起物３２１及び突起物３２２は、中空状の形状をしている。利用者は、該突起物３２１及び突起物３２２の穴の部分に指を通し、棒状ライト１００を把持する。
【００６１】
その他の形態及び機能については、第１の実施形態と同様である。ただし、第４の実施形態においては、棒状ライト１００は制御部６０１を有さない。保持部３０１に配置されたスイッチ部５０１は、本実施形態では、発光部２０１のオンオフの切り替えを行う。
【００６２】
[第５の実施形態]
本発明に係る棒状ライト１００の第５の実施形態の模式図を図８に示す。
【００６３】
第５の実施形態において、棒状ライト１００は、筒状の胴体部１０１と、胴体部１０１の内部に設けられ、発光する発光部２０１と、胴体部１０１と連結し、指に挟んで保持する突起物３２１を有する略円柱状の保持部３０１と、保持部３０１の内部に設けられ、発光部２０１に動力を供給する電源部４０１（図８では図示を省略）とを備える。
【００６４】
また、保持部３０１は、胴体部１０１と連結する上側保持部３０１ａと、この上側保持部３０１ａと連結する下側保持部３０１ｂとを有し、上記突起物３２１は、下側保持部３０１ｂに設けられ、この下側保持部３０１ｂは、上記上側保持部３０１ａに着脱可能に連結される。これにより、利用者は、必要に応じて下側保持部３０１ｂを取り外し、別の下側保持部や別の部材に取り換えることが可能になる。別の下側保持部とは、例えば上述した第４の実施形態の突起物を有するものなどである。また、別の部材とは、例えば突起物を有さない部材などである。
【００６５】
下側保持部３０１は下端に数センチ程度のくびれ３１１を有し、該くびれ３１１の先に突起物３２１を有する構成になっている。
【００６６】
その他の形態及び機能については、第１の実施形態と同様である。
【００６７】
本発明に係る、棒状ライト１００は、筒状の胴体部１０１と、胴体部１０１の内部に設けられ、発光する発光部２０１と、胴体部１０１と連結し、指に挟んで保持するための突起物３２１を有する略円柱状の保持部３０１と、保持部３０１の内部に設けられ、発光部２０１に動力を供給する電源部４０１とを備える際には、利用者片手で複数本の棒状ライト１００を保持可能になる。
【００６８】
また、保持部３０１は下端にくびれ３１１を有し、該くびれ３１１の先に突起物３２１を有する際においては、片手に複数の棒状ライト１００をより安定して保持可能になる。
【００６９】
また、胴体部１０１は、前端に発光部２０１が発する光を遮蔽するヘッド部１３１と有する際においては、前方への光線の照度を抑えることが可能になる。
【００７０】
また、ヘッド部１３１は、光を一部透過させる、図形形状からなる切り込み部１３２を備える際においては、発光の照度を抑えつつ、ヘッド部１３１上に文字や図形を浮かび上がらせることが可能になる。
【００７１】
また、保持部３０１は、更に、発光部２０１の発光条件を制御する制御部６０１を備える際においては、より多くの発光パターンを実現可能になる。
【００７２】
また、保持部３０１は、更に、制御部６０１に対して発光条件の切り替え指示を与えるスイッチ部５０１を備える際においては、利用者が自由に発光パターンを選択することが可能になる。
【００７３】
また、保持部３０１は、胴体部１０１と連結する上側保持部３０１ａと、この上側保持部３０１ａと連結する下側保持部３０１ｂとを有し、上記突起物３２１は、下側保持部３０１ｂに設けられ、この下側保持部３０１ｂは、上記上側保持部３０１ａに着脱可能に連結される際においては、必要に応じて利用者が下側保持部３０１ｂを取り外し、別の下側保持部や別の部材に取り換えることが可能になる。
【符号の説明】
【００７４】
１００            棒状ライト
１０１            胴体部
１０２            装飾シート
２０１            発光部
１３１            ヘッド部
１３２            切り込み部
３０１            保持部
３０１ａ                上側保持部
３０１ｂ                下側保持部
３１１            くびれ
３２１            突起物
３２２            突起物
４０１            電源部
５０１            スイッチ部
６０１            制御部
【図１】
2014032959.tif 000003
【図２】
2014032959.tif 000004
【図３】
2014032959.tif 000005
【図４】
2014032959.tif 000006
【図５】
2014032959.tif 000007
【図６】
2014032959.tif 000008
【図７】
2014032959.tif 000009
【図８】
2014032959.tif 000010